(57)【要約】      （修正有）【課題】  刃を設計通りの所望形状に形成できるのは勿論、印刷媒体の無駄も生ぜず、しかも、従来２つ必要であったカット部の１つを省略して装置のコンパクト化・低コスト化を達成できる極めて実用性に秀れた印刷装置を提供する。【解決手段】  順送及び逆送が繰り返されて供給される紙，フィルム，ラベル等の印刷媒体５を、複数の印刷機構４により、順次印刷する間欠送り式の印刷装置であって、複数の印刷機構４の下流側位置には、印刷媒体５をカットするためのカット刃が周方向に並設されたカットロール６とカットロール６と対向する刃当ロール７とから成るカット部８が設けられ、カット刃は、印刷機構４により印刷された被印刷部15をカットする被印刷部カット刃９と、並設される被印刷部15同志の境界16をカットする境界カット刃10とから成る。【選択図】      図２
2006123431.tif 000002
【特許請求の範囲】
【請求項１】
順送量＞逆送量の関係式により順送及び逆送が繰り返されて供給される紙，フィルム，ラベル等の印刷媒体を、少なくとも版胴と圧胴とを有する複数の印刷機構により、順次印刷する間欠送り式の印刷装置であって、複数の印刷機構の下流側位置には、印刷媒体をカットするためのカット刃が周方向に並設されたカットロールと該カットロールと対向する刃当ロールとから成るカット部が設けられ、前記カット刃は、印刷機構により印刷された被印刷部をカットする被印刷部カット刃と、並設される被印刷部同志の境界をカットする境界カット刃とから成り、この被印刷部カット刃と境界カット刃とは、被印刷部カット刃の後位置に境界カット刃が並設される構成若しくは境界カット刃の後位置に被印刷部カット刃が並設される構成であることを特徴とする印刷装置。
【請求項２】
請求項１記載の印刷装置において、被印刷部カット刃は所定長の被印刷部を打ち抜く打ち抜き刃であり、境界カット刃は前記被印刷部同志の境界を点線状にカットするカット刃であることを特徴とする印刷装置。
【請求項３】
請求項１，２いずれか１項に記載の印刷装置において、印刷媒体としてラベル用紙が採用されていることを特徴とする印刷装置。
【請求項４】
順送量＞逆送量の関係式により順送及び逆送が繰り返されて供給される紙，フィルム，ラベル等の印刷媒体を、少なくとも版胴と圧胴とを有する複数の印刷機構により、順次印刷する間欠送り式の印刷装置であって、複数の印刷機構の下流側位置には、印刷媒体をカットするためのカット刃が周方向に並設されたカットロールと該カットロールと対向する刃当ロールとから成るカット部が設けられ、前記カット刃は、本カットの前に予備処理を行う予備処理部と、予備処理部により予備処理された部位を本カットする本カット刃とから成り、この予備処理部と本カット刃とは、予備処理部の後位置に本カット刃が並設される構成であることを特徴とする印刷装置。
【請求項５】
請求項４記載の印刷装置において、予備処理部は、前記印刷媒体の所定部位を押圧する押圧体であり、本カット刃は、前記押圧体により押圧された部位をカットするカット刃であることを特徴とする印刷装置。
【請求項６】
請求項４，５いずれか１項に記載の印刷装置において、印刷媒体として基材上に粘着層を介してフィルムを積層した積層シートが採用されていることを特徴とする印刷装置。
【請求項７】
請求項１〜６いずれか１項に記載の印刷装置において、印刷媒体は、同速にして正逆回転する同径のインフィードローラ及びアウトフィードローラと、このインフィードローラ及びアウトフィードローラの回転制御を行う制御部とにより順送及び逆送が繰り返し行われるものであることを特徴とする印刷装置。
【請求項８】
請求項１〜７いずれか１項に記載の印刷装置において、カットロールのカット刃は、カットロールの周面に着脱自在に設けられていることを特徴とする印刷装置。
【発明の詳細な説明】
【技術分野】
【０００１】
本発明は、印刷装置に関するものである。
【背景技術】
【０００２】
ラベル図柄を連続的に印刷する印刷装置として、出願人の先願に係る特許第２９５８６４０号公報に開示されている印刷装置がある。具体的には、この印刷装置は、巻回された剥離紙付ラベル用紙などの印刷媒体に印刷する円筒状の版胴と円筒状の圧胴とを有する複数の印刷機構を具備した印刷装置である。
【０００３】
この印刷装置は、ラベル図柄同士の距離を可及的に狭くすることで印刷媒体の無駄をなくすため、印刷媒体を順送させて印刷を行い、続いて、印刷媒体を少し逆送させ、その後、再び印刷媒体を順送させて印刷を行うという工程を繰り返す間欠送り式のものである。
【０００４】
この印刷装置により図柄が印刷されたラベル用紙（台紙と剥離紙とが粘着層を介して貼着されたもの）は、図柄が印刷されたラベル部を打ち抜き刃により打ち抜き、ラベル部の周囲が除去されると共に、ラベル部同士の境界部がカット刃により点線状にカットされ、巻き取られる。
【０００５】
ところで近年、印刷装置の分野においては、装置の更なるコンパクト化・低コスト化を図るため、より無駄のない効率的な装置構成が要望されている。
【０００６】
そこで、図１に図示したように、ラベル部Ｌの周縁部Ａの打ち抜きと同時に、このラベル部Ｌ同士の境界部に点線状の切り込みＢ（エンボス）を入れるため、枠状の打ち抜き刃21と鋸形状のカット刃22とを近接状態に設けた１つのカットロールを用いることにより、１つのカットロールでラベル部の打ち抜きとラベル部同志の境界部の点線状のカットとを同時に行う構成が検討されている。
【０００７】
【特許文献１】特許第２９５８６４０号公報
【発明の開示】
【発明が解決しようとする課題】
【０００８】
しかしながら、打ち抜き刃21と鋸形状のカット刃22は、エッチングにより形成するものであるため、打ち抜き刃21及び鋸形状のカット刃22を近接状態に設けると、設計通りの刃形状及び間隔を実現しにくく、従って、必然的に打ち抜き刃21及び鋸形状のカット刃22の間隔を広くせざるを得ず、この間隔を広くすればする程、印刷媒体の無駄が生じるという問題点がある。
【０００９】
また、従来、基材上の柔らかい粘着層にフィルムが積層されたシートを打ち抜こうとする場合、該粘着層がある為、打ち抜き刃やカット刃による１回の打ち抜きやカットでは良好に打ち抜きやカットできず、このような粘着層を有するシートを打ち抜いたり、カットしたりする場合には、同じ箇所を打ち抜き刃で２回以上打ち抜いたり等しているのが現状である。
【００１０】
本発明は、上述のような現状に鑑みなされたもので、刃を設計通りの所望形状に形成できるのは勿論、印刷媒体の無駄も生ぜず、しかも、従来２つ必要であったカット部の１つを省略して装置のコンパクト化・低コスト化を達成できる極めて実用性に秀れた印刷装置を提供するものである。
【課題を解決するための手段】
【００１１】
添付図面を参照して本発明の要旨を説明する。
【００１２】
順送量＞逆送量の関係式により順送及び逆送が繰り返されて供給される紙，フィルム，ラベル等の印刷媒体５を、少なくとも版胴１と圧胴２とを有する複数の印刷機構４により、順次印刷する間欠送り式の印刷装置であって、複数の印刷機構４の下流側位置には、印刷媒体５をカットするためのカット刃が周方向に並設されたカットロール６と該カットロール６と対向する刃当ロール７とから成るカット部８が設けられ、前記カット刃は、印刷機構４により印刷された被印刷部15をカットする被印刷部カット刃９と、並設される被印刷部15同志の境界16をカットする境界カット刃10とから成り、この被印刷部カット刃９と境界カット刃10とは、被印刷部カット刃９の後位置に境界カット刃10が並設される構成若しくは境界カット刃10の後位置に被印刷部カット刃９が並設される構成であることを特徴とする印刷装置に係るものである。
【００１３】
また、請求項１記載の印刷装置において、被印刷部カット刃９は所定長の被印刷部を打ち抜く打ち抜き刃であり、境界カット刃10は前記被印刷部同志の境界16を点線状にカットするカット刃であることを特徴とする印刷装置に係るものである。
【００１４】
また、請求項１，２いずれか１項に記載の印刷装置において、印刷媒体５としてラベル用紙が採用されていることを特徴とする印刷装置に係るものである。
【００１５】
また、順送量＞逆送量の関係式により順送及び逆送が繰り返されて供給される紙，フィルム，ラベル等の印刷媒体５を、少なくとも版胴１と圧胴２とを有する複数の印刷機構４により、順次印刷する間欠送り式の印刷装置であって、複数の印刷機構４の下流側位置には、印刷媒体５をカットするためのカット刃が周方向に並設されたカットロール６と該カットロール６と対向する刃当ロール７とから成るカット部８が設けられ、前記カット刃は、本カットの前に予備処理を行う予備処理部11と、予備処理部11により予備処理された部位を本カットする本カット刃12とから成り、この予備処理部11と本カット刃12とは、予備処理部11の後位置に本カット刃12が並設される構成であることを特徴とする印刷装置に係るものである。
【００１６】
また、請求項４記載の印刷装置において、予備処理部11は、前記印刷媒体５の所定部位を押圧する押圧体であり、本カット刃12は、前記押圧体により押圧された部位をカットするカット刃であることを特徴とする印刷装置に係るものである。
【００１７】
また、請求項４，５いずれか１項に記載の印刷装置において、印刷媒体５として基材上に粘着層を介してフィルムを積層した積層シートが採用されていることを特徴とする印刷装置に係るものである。
【００１８】
また、請求項１〜６いずれか１項に記載の印刷装置において、印刷媒体５は、同速にして正逆回転する同径のインフィードローラ13及びアウトフィードローラ14と、このインフィードローラ13及びアウトフィードローラ14の回転制御を行う制御部とにより順送及び逆送が繰り返し行われるものであることを特徴とする印刷装置に係るものである。
【００１９】
また、請求項１〜７いずれか１項に記載の印刷装置において、カットロール６のカット刃は、カットロール６の周面に着脱自在に設けられていることを特徴とする印刷装置に係るものである。
【発明の効果】
【００２０】
本発明は上述のように構成したから、刃を設計通りの所望形状に形成できるのは勿論、印刷媒体の無駄も生ぜず、しかも、従来２つ必要であったカット部の１つを省略して装置のコンパクト化・低コスト化を達成できる極めて実用性に秀れた印刷装置となる。
【発明を実施するための最良の形態】
【００２１】
好適と考える本発明の実施形態を、図面に基づいて本発明の作用を示して簡単に説明する。
【００２２】
印刷媒体５を順送させて被印刷部カット刃９により被印刷部15をカットし、印刷媒体５を所定量逆送せしめることで、隣接する被印刷部15の間を境界カット刃10によりカットする。
【００２３】
本発明は、上記カット方法の為、被印刷部カット刃９と境界カット刃10とを近接状態に設けなくても良いから、設計通りの刃形状及び間隔を実現でき、更に、被印刷部カット刃９と境界カット刃10とを近接させなくても、被印刷部15のカット及び境界16のカットを確実に行うことができることになる。
【００２４】
また、カットロール６に、本カットの前に予備処理を行う予備処理部11と、予備処理部11により予備処理された部位を本カットする本カット刃12とを、予備処理部11の後位置に本カット刃12を並設した場合、印刷媒体５を逆送せしめることで、予備処理部11により予備処理された部位を本カット刃12によりカットできることになる。
【００２５】
従って、例えば、基材上に粘着層を介してフィルムを貼着積層した積層シートの場合、予備処理部11として押圧体を採用すると、該押圧体により押圧された部位を本カット刃12によりカットすることになる為、粘ついた粘着層の為カットしにくいというようなことが防止される。
【実施例】
【００２６】
本発明の具体的な実施例について図２〜５に基づいて説明する。
【００２７】
本実施例は、順送量＞逆送量の関係式により順送及び逆送が繰り返されて供給される紙，フィルム，ラベル等の印刷媒体５を、少なくとも版胴１と圧胴２とを有する複数の印刷機構４により、順次印刷する間欠送り式の印刷装置であって、複数の印刷機構４の下流側位置には、印刷媒体５をカットするためのカット刃が周方向に並設されたカットロール６と該カットロール６と対向する刃当ロール７とから成るカット部８が設けられ、前記カット刃は、印刷機構４により印刷された被印刷部15をカットする被印刷部カット刃９と、並設される被印刷部15同志の境界16をカットする境界カット刃10とから成り、この被印刷部カット刃９と境界カット刃10とは、被印刷部カット刃９の後位置に境界カット刃10が並設される構成としたものである。
【００２８】
具体的には本実施例は、図２に図示したように表面に版（印刷部）が付設されインキ装置と連設される版胴１と、表面にブランケットを付設したブラン胴３（転写ロール）と、圧胴２とを一組とする印刷機構４（印刷ユニット）を４組並設したタンデム型オフセット輪転４色印刷装置を図示した場合で、これら４組の印刷機構４の下流位置に１つのカット部８を設けた構成である。
【００２９】
カット部８のカットロール６のカット刃は、カットロール６の周面にマグネットにより着脱自在に設けられている。本実施例においては、図３に図示したように、被印刷部カット刃９は所定長の被印刷部15を打ち抜く枠状の打ち抜き刃であり、境界カット刃10は前記被印刷部同志の境界16を点線状にカットする鋸形状のカット刃である。被印刷部カット刃９により剥離紙に印刷された被印刷部15を打ち抜き（台紙は打ち抜かない）、境界カット刃10によりラベル用紙に点線状の切り込みを形成する。
【００３０】
尚、これらのカット刃を図３中右半分側にもう一対設けているが図示は省略している。
【００３１】
ブラン胴３と圧胴２との間を搬送される印刷媒体５（本実施例では台紙と剥離紙とを粘着層を介して貼着したラベル用紙）は、同速にして正逆回転する同径のインフィードローラ13及びアウトフィードローラ14と、このインフィードローラ13及びアウトフィードローラ14の回転制御を行う制御部とにより繰り返し順送及び逆送せしめられるように構成されている。
【００３２】
尚、符号17は紫外線硬化装置、18は印刷媒体５が巻回されている巻回ロール、19は出来上がったラベル（台紙に打ち抜かれたラベルのみが貼着されたもの）を巻き取る巻き取りロール、20は打ち抜かれた剥離紙の不要部（残ったラベルの外周部）を巻き取る巻き取りロールである。
【００３３】
このインフィードローラ13及びアウトフィードローラ14による順送及び逆送制御は、被印刷部カット刃９によりカットされた部位（図４中Ｘ）と、境界カット刃10によりカットされた部位（図４中Ｙ）とが交互に並設されるようなタイミング及び逆送量で印刷媒体５を逆送せしめるように設定されている。
【００３４】
具体的には以下のように制御を行う。
【００３５】
（１）インフィードローラ13及びアウトフィードローラ14の正転により、印刷機構４により被印刷部15が形成された印刷媒体５を順送せしめ、カット部８のカットロール６と刃当ロール７との間を通過させて、図４に図示したように、被印刷部カット刃９と境界カット刃10とでＸ１及びＹ１を形成する。
【００３６】
（２）インフィードローラ13及びアウトフィードローラ14を逆転せしめ、Ｙ１同志の間に被印刷部カット刃９によりＸ２が形成されるように、且つ被印刷部15同志の間隔が可及的に狭くなるように印刷媒体５を所定量逆送させる。
【００３７】
（３）インフィードローラ13及びアウトフィードローラ14を正転せしめ、被印刷部カット刃９と境界カット刃10とでＸ２及びＹ２を形成する。
【００３８】
以上のような制御を繰り返すことで、被印刷部カット刃９によりカットされた部位（Ｘ）と、境界カット刃10によりカットされた部位（Ｙ）とを交互に並設することができる。
【００３９】
従って、被印刷部カット刃９と境界カット刃10とを近接状態に設ける必要なく、設計通りの刃形状及び間隔を実現でき、且つ被印刷部同志の間隔を可及的に狭くすることができることになる。
【００４０】
このようにして所望のカットが施された印刷媒体５は、被印刷部カット刃９により打ち抜かれた部分以外の不要部分（カス）と台紙にラベルが貼着されたものとは別々に夫々巻き取りロール20及び巻き取りロール19により巻き取られ、所望の印刷媒体５が得られる。
【００４１】
尚、印刷媒体５を逆送せしめる際、印刷媒体５だけでなく、カットロール６及び刃当ロール７を少し逆転させるように設定しても良い。
【００４２】
本実施例においては、オフセット輪転印刷機構を採用しているが、他の印刷機構、例えば凸版輪転印刷機構等を採用した場合も同様である。
【００４３】
また、本実施例においては、被印刷部カット刃９と境界カット刃10とは、被印刷部カット刃９の後位置に境界カット刃10が並設される構成としているが、境界カット刃10の後位置に被印刷部カット刃９が並設される構成としても良い。
【００４４】
また、本実施例においては上述のようなカット部８を採用した場合について説明したが、図５に図示した別例のようなカット部８を採用しても良い。
【００４５】
具体的には、前記カット刃は、本カットの前に予備処理としての押圧を行う押圧体と、押圧体により押圧された部位を本カットする本カット刃12とで形成される（この押圧体と本カット刃12とは、押圧体の後位置に本カット刃12が並設される構成としても良い。）。
【００４６】
この場合、印刷媒体５として、基材上に粘着層を介してフィルムを貼着積層した積層シートを採用しても、本カット刃12は、前記押圧体により押圧された部位をカットする為、粘ついた粘着層の為カットしにくいというようなことが防止される。
【００４７】
従って、別例のカット部８の場合、インフィードローラ13及びアウトフィードローラ14による順送及び逆送制御は、予備処理部11により押圧された部位を、本カット刃12によりカットできるようなタイミング及び逆送量で印刷媒体５を逆送せしめるように設定することになる。
【００４８】
本実施例は上述のように構成したから、印刷媒体５を順送させて被印刷部カット刃９により被印刷部15をカットし、印刷媒体５を所定量逆送せしめることで、隣接する被印刷部15の間を境界カット刃10によりカットするカット方法の為、被印刷部カット刃９と境界カット刃10とを近接状態に設けなくても良いから、設計通りの刃形状及び間隔を実現でき、更に、被印刷部カット刃９と境界カット刃10とを近接させなくても、被印刷部15のカット及び境界16のカットを確実に行うことができることになる。
【００４９】
また、カットロール６に、本カットの前に予備処理を行う予備処理部11と、予備処理部11により予備処理された部位を本カットする本カット刃12とを、予備処理部11の後位置に本カット刃12を並設した場合、印刷媒体５を逆送せしめることで、予備処理部11により予備処理された部位を本カット刃12によりカットできることになる。
【００５０】
従って、例えば、基材上に粘着層を介してフィルムを貼着積層した積層シートの場合、予備処理部11として押圧体を採用すると、該押圧体により押圧された部位を本カット刃12によりカットすることになる為、粘ついた粘着層の為カットしにくいというようなことが防止される。
【００５１】
従って、本実施例は、刃を設計通りの所望形状に形成できるのは勿論、印刷媒体の無駄も生ぜず、しかも、従来２つ必要であったカット部の１つを省略して装置のコンパクト化・低コスト化を達成できる極めて実用性に秀れた印刷装置となる。
【図面の簡単な説明】
【００５２】
【図１】従来例の概略説明図である。
【図２】本実施例の構成概略説明側面図である。
【図３】本実施例のカット部の拡大構成概略説明側面図である。
【図４】本実施例のカット方法を説明する説明図である。
【図５】別例のカット部の拡大構成概略説明側面図である。
【符号の説明】
【００５３】
１  版胴
２  圧胴
４  印刷機構
５  印刷媒体
６  カットロール
７  刃当ロール
８  カット部
９  被印刷部カット刃
10  境界カット刃
11  予備処理部
12  本カット刃
13  インフィードローラ
14  アウトフィードローラ
15  被印刷部
16  境界
【図１】
2006123431.tif 000003
【図２】
2006123431.tif 000004
【図３】
2006123431.tif 000005
【図４】
2006123431.tif 000006
【図５】
2006123431.tif 000007